(57)【要約】【課題】ベタつき感を抑制し、良好な使用感を備えた靴下用ずれ防止剤を提供すること。【解決手段】本発明の靴下用ずれ防止剤は、アクリル酸系高分子と、グリセリンと、脂肪酸デキストリンと、を含むことを特徴とする。また、前記脂肪酸デキストリンの配合量は、０．０５〜１．０質量％であるのが好ましい。また、前記アクリル酸系高分子の配合量は、０．０１〜１０質量％であるのが好ましい。また、前記グリセリンの配合量は、０．１〜８０質量％であるのが好ましい。前記脂肪酸デキストリンの配合量をＡ［質量％］、前記アクリル酸系高分子の配合量をＢ［質量％］としたとき、０．０２≦Ｂ／Ａ≦２０の関係を満足するのが好ましい。【選択図】なし【特許請求の範囲】
【請求項１】
アクリル酸系高分子と、グリセリンと、脂肪酸デキストリンと、を含むことを特徴とする靴下用ずれ防止剤。
【請求項２】
前記脂肪酸デキストリンの配合量は、０．０５〜１．０質量％である請求項１に記載の靴下用ずれ防止剤。
【請求項３】
前記アクリル酸系高分子の配合量は、０．０１〜１０質量％である請求項１または２に記載の靴下用ずれ防止剤。
【請求項４】
前記グリセリンの配合量は、０．１〜８０質量％である請求項１ないし３のいずれか１項に記載の靴下用ずれ防止剤。
【請求項５】
前記脂肪酸デキストリンの配合量をＡ［質量％］、前記アクリル酸系高分子の配合量をＢ［質量％］としたとき、０．０２≦Ｂ／Ａ≦２０の関係を満足する請求項１ないし４のいずれか１項に記載の靴下用ずれ防止剤。
【請求項６】
前記脂肪酸デキストリンの配合量をＡ［質量％］、前記グリセリンの配合量をＣ［質量％］としたとき、１≦Ｃ／Ａ≦５００の関係を満足する請求項１ないし５のいずれか１項に記載の靴下用ずれ防止剤。
【請求項７】
前記アクリル酸系高分子の配合量をＢ［質量％］、前記グリセリンの配合量をＣ［質量％］としたとき、０．５≦Ｃ／Ｂ≦５０００の関係を満足する請求項１ないし６のいずれか１項に記載の靴下用ずれ防止剤。
【発明の詳細な説明】
【技術分野】
【０００１】
本発明は、靴下用ずれ防止剤に関するものである。
【背景技術】
【０００２】
靴下等の衣類のずれを防止するためのずれ防止剤が知られている。
このようなずれ防止剤は、一般に、接着剤成分を含む接着剤組成物で構成されている（例えば、特許文献１参照）。このずれ防止剤は、皮膚に塗布し、その粘着力により靴下のずれを防止するものである。
【０００３】
しかしながら、従来の靴下のずれ防止剤では、靴下のずれの防止はできるものの、ベタつき感があり、良好な使用感を得るのが困難であった。また、靴下を脱いだ後にも皮膚に製剤の多くが残留し、使用後の使用感も良好ではなかった。
【先行技術文献】
【特許文献】
【０００４】
【特許文献１】特許第３４９０５８０号
【発明の概要】
【発明が解決しようとする課題】
【０００５】
本発明の目的は、ベタつき感を抑制し、良好な使用感を備えた靴下用ずれ防止剤を提供することにある。
【課題を解決するための手段】
【０００６】
このような目的は、下記（１）〜（７）の本発明により達成される。
（１）  アクリル酸系高分子と、グリセリンと、脂肪酸デキストリンと、を含むことを特徴とする靴下用ずれ防止剤。
【０００７】
（２）  前記脂肪酸デキストリンの配合量は、０．０５〜１．０質量％である上記（１）に記載の靴下用ずれ防止剤。
【０００８】
（３）  前記アクリル酸系高分子の配合量は、０．０１〜１０質量％である上記（１）または（２）に記載の靴下用ずれ防止剤。
【０００９】
（４）  前記グリセリンの配合量は、０．１〜８０質量％である上記（１）ないし（３）のいずれかに記載の靴下用ずれ防止剤。
【００１０】
（５）  前記脂肪酸デキストリンの配合量をＡ［質量％］、前記アクリル酸系高分子の配合量をＢ［質量％］としたとき、０．０２≦Ｂ／Ａ≦２０の関係を満足する上記（１）ないし（４）のいずれかに記載の靴下用ずれ防止剤。
【００１１】
（６）  前記脂肪酸デキストリンの配合量をＡ［質量％］、前記グリセリンの配合量をＣ［質量％］としたとき、１≦Ｃ／Ａ≦５００の関係を満足する上記（１）ないし（５）のいずれかに記載の靴下用ずれ防止剤。
【００１２】
（７）  前記アクリル酸系高分子の配合量をＢ［質量％］、前記グリセリンの配合量をＣ［質量％］としたとき、０．５≦Ｃ／Ｂ≦５０００の関係を満足する上記（１）ないし（６）のいずれかに記載の靴下用ずれ防止剤。
【発明の効果】
【００１３】
本発明によれば、ベタつき感を抑制し、良好な使用感を備えた靴下用ずれ防止剤を提供することができる。
【発明を実施するための形態】
【００１４】
以下、本発明の靴下用ずれ防止剤の好適な実施形態について詳細に説明する。
なお、本明細書中における靴下用ずれ防止剤は、いかなる形態のものであってもよく、例えば、液状、ゲル（ジェル）状、乳液状、クリーム状等であってもよい。
【００１５】
本発明の靴下用ずれ防止剤は、靴下と皮膚との間に介在し、靴下がずれるのを防止するものである。
【００１６】
本発明の靴下用ずれ防止剤は、アクリル酸系高分子と、グリセリンと、脂肪酸デキストリンと、を含んでいる。
【００１７】
ところで、従来の靴下用ずれ防止剤は、ベタつき感があり、良好な使用感を得るのが困難であった。また、靴下を脱いだ後にも皮膚に製剤の多くが残留し、使用後の使用感も良好ではなかった。
【００１８】
これに対して、本発明の靴下用ずれ防止剤では、アクリル酸系高分子と、グリセリンと、脂肪酸デキストリンとを含有することにより、ベタつき感を抑制することができる。また、皮膚に残存した場合であっても、その残存し不快感を、良好な使用感を有する靴下用ずれ防止剤を提供することができる。
【００１９】
以下、各成分について詳細に説明する。
［アクリル酸系高分子］
アクリル酸系高分子は、靴下用ずれ防止剤に粘着性を付与する成分である。
【００２０】
アクリル酸系高分子は、主成分としての官能基を有していないアクリル酸系アルキルエステルと、官能基を有するアクリル酸系アルキルエステルやアクリル酸系アルキルエステル以外の他の単量体成分とを共重合させたものである。
【００２１】
官能基を有しないアクリル酸系アルキルエステルとしては、例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸ノニル、（メタ）アクリル酸デシル、（メタ）アクリル酸ウンデシル又は（メタ）アクリル酸ドデシル等のアルキル基の炭素数が１〜１２程度であるアクリル酸アルキルエステルやメタアクリル酸アルキルエステルが挙げられ、これらのうち、１種または２種以上を組み合わせて用いることができる。
【００２２】
また、官能基を有するアクリル酸系アルキルエステルとしては、例えば、２−ヒドロキシエチル（メタ）アクリレート、２−ヒドロキシプロピル（メタ）アクリレート、又はグリシジルメタアクリレート等の水酸基やエポキシ基含有アクリル酸系アルキルエステル等が挙げられる。
【００２３】
アクリル酸系アルキルエステル以外の他の単量体としては、例えば、酢酸ビニル、スチレン、アクリロニトリル、Ｎ−メチロールアクリルアミド、Ｎ，Ｎ−ジメチルアクリルアミド、又は（メタ）アクリルアミド等が挙げられる。
【００２４】
靴下用ずれ防止剤におけるアクリル酸系高分子の配合量は、０．０１〜１０質量％であるのが好ましく、０．１〜１質量％であるのがより好ましい。これにより、靴下用ずれ防止剤はより適度な粘着力を有しつつ、ベタつき感をより効果的に抑制することができる。
【００２５】
［グリセリン］
グリセリンは、皮膚の保湿性に寄与する成分である。また、グリセリンは、アクリル酸系高分子および脂肪酸デキストリンとともに配合することで、粘着力を増強させるとともに、靴下用ずれ防止剤のベタつき感の抑制に寄与する成分でもある。
【００２６】
靴下用ずれ防止剤におけるグリセリンの配合量は、０．１〜８０質量％であるのが好ましく、１〜５０質量％であるのがより好ましい。これにより、靴下用ずれ防止剤はより適度な粘着力を有しつつ、ベタつき感をより効果的に抑制することができる。
【００２７】
また、前記アクリル酸系高分子の配合量をＢ［質量％］、グリセリンの配合量をＣ［質量％］としたとき、０．５≦Ｃ／Ｂ≦５０００の関係を満足するのが好ましく、１≦Ｃ／Ｂ≦５００の関係を満足するのがより好ましい。このような関係を満足することにより、靴下用ずれ防止剤はより適度な粘着力を有しつつ、ベタつき感をより効率よく抑制することができる。
【００２８】
［脂肪酸デキストリン］
脂肪酸デキストリンは、グリセリンとともに配合することで、靴下用ずれ防止剤のベタつき感の抑制に寄与する成分でもある。
【００２９】
脂肪酸デキストリンとしては、例えば、パルミチン酸デキストリン、オクタン酸デキストリン、ミリスチン酸デキストリン、エチルヘキサン酸デキストリン等が挙げられ、これらのうち、１種または２種以上を組み合わせて用いることができる。これらの中でも、特にイソステアリン酸デキストリンを用いるのが好ましい。これにより、靴下用ずれ防止剤のベタつき感をより効果的に抑制することができる。
【００３０】
靴下用ずれ防止剤における脂肪酸デキストリンの配合量は、０．０５〜１．０質量％であるのが好ましく、０．１〜０．７質量％であるのがより好ましい。これにより、靴下用ずれ防止剤はより適度な粘着力を有しつつ、ベタつき感をより効果的に抑制することができる。
【００３１】
また、脂肪酸デキストリンの配合量をＡ［質量％］、アクリル酸系高分子の配合量をＢ［質量％］としたとき、０．０２≦Ｂ／Ａ≦２０の関係を満足するのが好ましく、０．５≦Ｂ／Ａ≦５の関係を満足するのがより好ましい。このような関係を満足することにより、靴下用ずれ防止剤はより適度な粘着力を有しつつ、ベタつき感をより効率よく抑制することができる。
【００３２】
また、脂肪酸デキストリンの配合量をＡ［質量％］、グリセリンの配合量をＣ［質量％］としたとき、１≦Ｃ／Ａ≦５００の関係を満足するのが好ましく、１５≦Ｃ／Ａ≦１５０の関係を満足するのがより好ましい。このような関係を満足することにより、ベタつき感をより効果的に抑制することができる。
【００３３】
［その他の成分］
また、本発明の靴下用ずれ防止剤には、上記成分の他、目的および剤形に応じて通常用いられる基剤成分並びに薬効成分を配合することができる。
【００３４】
そのような基剤成分並びに薬効成分の例として、粘度付与成分、ヒアルロン酸、ヒアルロン酸塩、アミノ酸、鉱物・合成油、動植物油、アルコール、界面活性剤、湿潤剤、溶剤、防腐剤、酸化防止剤、ｐＨ調整剤、香料などが挙げられ、本発明の効果を損なわない範囲で配合することができる。以下にそれらの具体例を挙げる。
【００３５】
（粘度付与成分）
粘土付与成分としては、カラギーナン（ι、λ、κ）、アルギン酸、アルギン酸ナトリウム、アルギン酸プロピレングリコールエステル、カルシウム含有アルギン酸ナトリウム、アルギン酸カリウム、アルギン酸カルシウム、アルギン酸アンモニウム等のアルギン酸塩及びその誘導体、キサンタンガム、グァーガム、カチオン化グアガム、ゼラチン、寒天、カルボキシメチルセルロースナトリウム、ヒドロキシエチルセルロース、ヒドロキシプロピルメチルセルロース、カルボキシビニルポリマー、アクリル酸系コポリマー、ポリアクリルアミド、ヒアルロン酸、ヒアルロン酸ナトリウム等が挙げられ、これらのうち、１種または２種以上を組み合わせて用いることができる。
【００３６】
（アミノ酸）
アミノ酸としては、例えば、Ｌ−アラニン、Ｌ−アルギニン、Ｌ−アスパラギン酸、Ｌ−グルタミン、Ｌ−アスパラギン、Ｌ−システイン、Ｌ−セリン、Ｌ−チロシン、Ｌ−プロリン、ピロリドンカルボン酸塩、グリシン、バリン、ロイシン、イソロイシン、トレオニン、メチオニン、フェニルアラニン、トリプトファン、リシン、シスチン、ヒドロキシプロリン、ヒドロキシリジン、オルニチン、ヒスチジン、γ−アミノ酪酸、ε−アミノカプロン酸等が挙げられ、これらのうち、１種または２種以上を組み合わせて用いることができる。
【００３７】
（鉱物・合成油）
鉱物・合成油としては、例えば、流動パラフィン、流動イソパラフィン、ワセリン、パラフィン、セレシン、マイクロスタリンワックス、α−オレフィンオリゴマー、ポリエチレン、ポリブテン、合成スクワラン等が挙げられ、これらのうち、１種または２種以上を組み合わせて用いることができる。
【００３８】
（動植物油）
動植物油としては、例えば、スクワラン、オリブ油、ツバキ油、コムギ胚芽油、ホホバ油、アボガド油、カロット油、シア脂、液状シア脂、パーム油、パーム核油、硬化油、馬油、ラノリン類、卵黄油、チョウジ油、ローズヒップ油、ラベンダー油、ハッカ油、スペアミント油、ローズマリー油、マカデミアナッツ油、杏仁油、サフラワー油、サフラワー油（２）、ヒマワリ油、ヒマワリ油（２）、メドゥホーム油、アーモンド油、エゴマ油、ゴマ油、ボラージ油、カカオ脂、コメヌカ油、コメ胚芽油、ウイキョウ油、オレンジ油、カミツレ油、キューカンバー油、ククイナッツ油、大豆油、ティーツリー油、トウモロコシ油、ナタネ油、パーシック油、ヒマシ油、綿実油、落花生油、タートル油、ミンク油、アルガニアスピノサ核油、クランベアビシニカ種子油、アルモンド油、桃仁油、グレープシード油、エミュー油、ミンク油、アサ種子油、アマニ油、サザンカ油、モクロウ、ヤシ油、月見草油、ピスタシオ種子油、マンゴーバター等が挙げられ、これらのうち、１種または２種以上を組み合わせて用いることができる。
【００３９】
（アルコール）
エタノール、イソプロパノール、ブチルアルコール、ベンジルアルコール、ラウリルアルコール、ミリスチルアルコール、セタノール、セトステアリルアルコール、ステアリルアルコール、イソステアリルアルコール、オレイルアルコール、ヘキシルデカノール、ベヘニルアルコール、オクチルドデカノール、ラノリンアルコール、コレステロール、フィトステロール、２−ヘキシルデカノール、２−オクチルドデカノール、バチルアルコール等が挙げられ、これらのうち、１種または２種以上を組み合わせて用いることができる。
【００４０】
（エステル油）
エステル油としては、例えば、トリカプリル酸グリセリル、トリ２−エチルヘキサン酸グリセリル、イソノナン酸イソノニル、ジオクタン酸エチレングリコール、トリ（カプリル・カプリン酸）グリセリル、ミリスチン酸イソプロピル、ミリスチン酸ブチル、パルミチン酸イソプロピル、ステアリン酸エチル、ステアリン酸ブチル、オレイン酸エチル、リノール酸エチル、リノール酸イソプロピル、カプリル酸セチル、ミリスチン酸デシル、ラウリン酸ヘキシル、ミリスチン酸ミリスチル、ミリスチン酸セチル、パルミチン酸セチル、ステアリン酸ステアリル、オレイン酸オレイル、オレイン酸デシル、リシノール酸セチル、ラウリン酸イソステアリル、ミリスチン酸イソトリデシル、ミリスチン酸イソセチル、ミリスチン酸イソステアリル、ミリスチン酸２−オクチルドデシル、パルミチン酸エチルヘキシル、パルミチン酸イソセチル、ステアリン酸エチルヘキシル、ステアリン酸イソセチル、オレイン酸イソデシル、オレイン酸２−オクチルドデシル、リシノール酸２−オクチルドデシル、イソステアリン酸エチル、イソステアリン酸イソプロピル、オクタン酸セチル、オクタン酸セトステアリル、オクタン酸ステアリル、イソステアリン酸ヘキシル、ジオレイン酸エチレングリコール、ジカプリン酸プロピレングリコール、ジ（カプリル・カプリン酸）プロピレングリコール、ジオレイン酸プロピレングリコール、ジカプリン酸ネオペンチルグリコール、ジ２−エチルヘキサン酸ネオペンチルグリコール、トリウンデシル酸グリセリル、トリイソパルミチン酸グリセリル、トリイソステアリン酸グリセリル、トリ２−エチルヘキサン酸トリメチロールプロパン、トリイソステアリン酸トリメチロールプロパン、テトラ２−エチルヘキサン酸ペンタエリスリトール、テトラミリスチン酸ペンタエリスリトール、テトライソステアリン酸ペンタエリスリトール、ネオペンタン酸２−オクチルドデシル、オクタン酸イソセチル、オクタン酸イソステアリル、イソペアルゴン酸エチルヘキシル、ネオデカン酸２−ヘキシルデシル、ネオデカン酸２−オクチルドデシル、イソパルミチン酸エチルヘキシル、イソステアリン酸イソセチル、イソステアリン酸イソステアリル、イソステアリン酸２−オクチルドデシル、乳酸ラウリル、乳酸ミリスチル、乳酸セチル、乳酸２−オクチルドデシル、クエン酸トリエチル、クエン酸アセチルトリエチル、クエン酸アセチルトリブチル、クエン酸トリ２−エチルヘキシル、クエン酸トリイソセチル、クエン酸トリ２−オクチルドデシル、リンゴ酸ジイソステアリル、ヒドロキシステアリン酸２−エチルヘキシル、コハク酸ジオクチル、アジピン酸ジイソプロピル、アジピン酸ジイソブチル、アジピン酸ジオクチル、セバシン酸ジエチル、セバシン酸ジイソプロピル、セバシン酸ジオクチル、セバシン酸ジブチルオクチル、ステアリン酸コレステリル、イソステアリン酸コレステリル、ヒドロキシステアリン酸コレステリル、オレイン酸コレステリル、オレイン酸ジヒドロコレステリル、イソステアリン酸フィトステリル、オレイン酸フィトステリル、ジメチルオクタン酸ヘキシルデシル、乳酸セチル、フタル酸ジエチル、フタル酸ジブチル、炭酸ジアルキル等が挙げられ、これらのうち、１種または２種以上を組み合わせて用いることができる。
【００４１】
（界面活性剤）
界面活性剤としては、例えば、ラウリル硫酸塩、アルキル硫酸塩、ポリオキシエチレンアルキル硫酸塩、テトラデセンスルホン酸塩、ポリオキシエチレンアルキルスルホコハク酸塩、ラウロイルサルコシン塩、アルキルメチル−β−アラニン塩、ポリオキシエチレンアルキルエーテルリン酸塩、脂肪酸石けん、Ｎ−アシルグルタミン酸塩、ラウリン酸ジエタノールアミド、ヤシ油脂肪酸ジエタノールアミド、アルキルジメチルアミンオキシド、アルキルメチルタウリン塩、アルキルアミノプロキオン酸塩、ポリオキシエチレンアルキルエーテルカルボン酸塩、アルキルリン酸塩、アルキルグルコシド、ポリエーテル変性シリコーン、塩化アルキルトリメチルアンモニウム、臭化アルキルトリメチルアンモニウム、アミドアミン、塩化ジアルキルジメチルアンモニウムジメチル酢酸ベタイン、アルキルアミドプロピルベタイン、アルキルカルボキシメチルヒドロキシエチルイミダゾリニウムベタイン、レシチン（大豆リン脂質、卵黄レシチン）およびその誘導体（水素添加卵黄レシチン、水素添加大豆リン脂質、卵黄リゾホスファチジルコリン、大豆リゾリン脂質液、水素添加大豆リゾリン脂質、水酸化大豆リン脂質）、プロピレングリコール脂肪酸エステル、グリセリン脂肪酸エステル、ポリグリセリン脂肪酸エステル、ポリオキシエチレングリセリン脂肪酸エステル、ソルビタン脂肪酸エステル、ポリオキシエチレンソルビタン脂肪酸エステル、ポリオキシエチレンソルビット脂肪酸エステル、ポリオキシエチレンラノリン、ポリオキシエチレンラノリンアルコール、ポリオキシエチレンソルビットミツロウ、ポリオキシエチレン硬化ヒマシ油、ポリオキシエチレンフィトステロール、ポリエチレングリコール脂肪酸エステル、ポリオキシエチレンポリオキシプロピレングリコール、ポリオキシエチレンアルキルエーテル、ポリオキシプロピレンアルキルエーテル、ポリオキシエチレンポリオキシプロピレンアルキルエーテル、ポリオキシエチレンアルキルノニルフェニルエーテル、ポリオキシエチレンアルキルエーテルリン酸・リン酸塩、ショ糖脂肪酸エステル等が挙げられ、これらのうち、１種または２種以上を組み合わせて用いることができる。
【００４２】
これら界面活性剤は、乳化剤・可溶化剤としても用いられるが、保湿成分としても用いられることがある。保湿成分として用いる場合、植物油のＥＯ付加物である非イオン界面活性剤が特に優れており、１種以上を用いることができる。非イオン界面活性剤の中では、例えばポリオキシエチレングリセリン脂肪酸エステル、ポリオキシエチレン硬化ヒマシ油、ポリオキシエチレンポリオキシプロピレングリコールが好ましく用いられる。
【００４３】
（湿潤剤）
湿潤剤としては、上記グリセリンの他、例えば、ジグリセリン、ソルビット液、ポリエチレングリコール、プロピレングリコール、ジプロピレングリコール及び１，３−ブチレングリコールなどの多価アルコールの他、酸化エチレン、エチレングリコールモノエチルエーテル、エチレングリコールモノブチルエーテル、ジエチレングリコールモノエチルエーテル、酸化プロピレン、ポリオキシアルキレンアルキルエーテル等が挙げられ、これらのうち、１種または２種以上を組み合わせて用いることができる。
【００４４】
（溶剤）
溶剤としては、例えば、精製水、常水、イソプロパノール、ベンジルアルコール等が挙げられ、これらのうち、１種または２種以上を組み合わせて用いることができる。
【００４５】
（消炎剤）
消炎剤としては、例えば、グリチルリチン酸、グリチルリチン酸ジカリウム、グリチルリチン酸モノアンモニウム、グリチルレチン酸、グリチルレチン酸ステアリル、グアイアズレン、グアイアズレンスルホン酸ナトリウム、アラントイン、ε−アミノカプロン酸等が挙げられ、これらのうち、１種または２種以上を組み合わせて用いることができる。
【００４６】
（防腐剤）
防腐剤としては、例えば、メチルパラベン、エチルパラベン、プロピルパラベン、ブチルパラベン、イソブチルパラベン、フェノキシエタノール、ビサボロール、ヒノキチオール、安息香酸、安息香酸ナトリウム、サリチル酸、サリチル酸ナトリウム、ソルビン酸、ソルビン酸カリウム、ウンデシレン酸、ピオニン、ｌ−メントール、ｄ−カンフル、イソプロピルメチルフェノール、塩化ベンゼトニウム、塩酸アルキルジアミノエチルグリシン等が挙げられ、これらのうち、１種または２種以上を組み合わせて用いることができる。
【００４７】
（酸化防止剤）
酸化防止剤としては、例えば、ジブチルヒドロキシトルエン、ブチルヒドロキシアニソール、エリソルビン酸、没食子酸プロピル、アスコルビン酸およびアスコルビン酸誘導体、ｄ−δ−トコフェロール等が挙げられ、これらのうち、１種または２種以上を組み合わせて用いることができる。
【００４８】
（ｐＨ調整剤）
ｐＨ調整剤としては、例えば、水酸化ナトリウム、水酸化カリウム、Ｌ−アルギニン、トリエタノールアミン、ジエタノールアミン、クエン酸、グリコール酸、リンゴ酸、酒石酸、乳酸、コハク酸、リン酸およびその塩等が挙げられ、これらのうち、１種または２種以上を組み合わせて用いることができる。
以上、本発明の靴下用ずれ防止剤について説明したが、本発明はこれに限定されない。
【実施例】
【００４９】
次に、本発明の具体的実施例について説明する。
（実施例１）
表１に示す成分および配合量を用いて、以下のようにして、ゲル状の靴下用ずれ防止剤を製造した。
成分２〜８を８０℃にて均一に加温混合し、混合物１を得た。
【００５０】
次に、混合物１に、８０℃に加温した成分１３を徐々に加えて混合し、混合物２を得た。
【００５１】
次に、混合物２に成分１を加え混合した後、６０℃まで冷却し成分９を加えて均一に混合し、混合物３を得た。
【００５２】
次いで、混合物３に、成分１０および１１を加えて均一にした後、室温付近まで冷却し成分１２を加え均一に混合して靴下用ずれ防止剤を得た。
【００５３】
（実施例２〜５、比較例１〜７）
表１に示す成分および配合量を用いた以外は、前記実施例１と同様にしてゲル状の靴下用ずれ防止剤を製造した。
【００５４】
（実施例６）
下記成分および配合量を用いて、常法によりゲル状の靴下用ずれ防止剤を製造した。
アクリル酸・メタクリル酸アルキル共重合体：０．６質量％
グリセリン：２０．０質量％
イソステアリン酸デキストリン：０．５質量％
ポリオキシエチレンポリオキシプロピレンデシルテトラデシルエーテル：０．３質量％
流動パラフィン：０．１質量％
セタノール：０．１質量％
水酸化ナトリウム：０．０６質量％
パラオキシ安息香酸エステル：０．５質量％
精製水：残量
【００５５】
（実施例７）
下記成分および配合量を用いて、常法によりゲル状の靴下用ずれ防止剤を製造した。
アクリル酸・メタクリル酸アルキル共重合体：０．５質量％
グリセリン：１５．０質量％
イソステアリン酸デキストリン：０．３質量％
ポリオキシエチレン硬化ヒマシ油：０．２質量％
スクワラン：１．０質量％
シア脂：０．１質量％
ステアリルアルコール：１．０質量％
ジプロピレングリコール：５．０質量％
Ｌ−アルギニン：０．３質量％
フェノキシエタノール：０．５質量％
グリセリンモノ２−エチルヘキシルエーテル：０．１質量％
ヒアルロン酸ナトリウム：０．００１質量％
精製水：残量
【００５６】
（実施例８）
下記成分および配合量を用いて、常法によりゲル状の靴下用ずれ防止剤を製造した。
アクリル酸・メタクリル酸アルキル共重合体：０．２５質量％
カルボキシビニルポリマー：０．１５質量％
グリセリン：１２．０質量％
イソステアリン酸デキストリン：０．５質量％
ポリオキシエチレン硬化ヒマシ油：０．５質量％
ホホバ油：２．０質量％
セトステアリルアルコール：０．５質量％
１・３−ブチレングリコール：１５．０質量％
トリエタノールアミン：０．５質量％
フェノキシエタノール：０．５質量％
精製水：残量
【００５７】
（実施例９）
下記成分および配合量を用いて、常法によりクリーム状の靴下用ずれ防止剤を製造した。
アクリル酸・メタクリル酸アルキル共重合体：０．６質量％
グリセリン：１０．０質量％
１，３−ブチレングリコール：７．０質量％
イソステアリン酸デキストリン：０．２質量％
水素添加大豆リン脂質：０．３質量％
親油型モノステアリン酸グリセリル：０．３質量％
グリセリン脂肪酸エステル：１．０質量％
ポリオキシエチレンベヘニルエーテル：１．４質量％
パルミチン酸イソプロピル：３．０質量％
スクワラン：５．０質量％
ヒマワリ油（１）：１．０質量％
トリ（カプリル・カプリン酸）グリセリル：５．０質量％
シクロペンタシロキサン：０．２質量％
セトステアリルアルコール：０．８質量％
ベヘニルアルコール：２．０質量％
Ｌ−アルギニン：０．５質量％
パラオキシ安息香酸エステル：０．２質量％
フェノキシエタノール：０．３質量％
精製水：残量
【００５８】
（実施例１０）
下記成分および配合量を用いて、常法によりクリーム状の靴下用ずれ防止剤を製造した。
アクリル酸・メタクリル酸アルキル共重合体：０．４質量％
カルボキシビニルポリマー：０．２質量％
グリセリン：１０．０質量％
１，３−ブチレングリコール：５．０質量％
ジプロピレングリコール：１０．０質量％
イソステアリン酸デキストリン：０．５質量％
自己乳化型モノステアリン酸グリセリル：１．０質量％
セスキオレイン酸ソルビタン：０．７質量％
ポリオキシエチレンヤシ油脂肪酸ソルビタン：１．５質量％
モノステアリン酸ポリオキシエチレンソルビタン：２．０質量％
ミリスチン酸イソプロピル：５．０質量％
スクワラン：２．０質量％
トリ（カプリル・カプリン酸）グリセリル：３．０質量％
ベヘニルアルコール：２．０質量％
水酸化カリウム：０．０７質量％
パラオキシ安息香酸エステル：０．６質量％
精製水：残量
【００５９】
（実施例１１）
下記成分および配合量を用いて、常法により液状の靴下用ずれ防止剤を製造した。
アクリル酸・メタクリル酸アルキル共重合体：０．２質量％
グリセリン：１５．０質量％
イソステアリン酸デキストリン：０．２質量％
ポリオキシエチレンアルキル（１２〜１５）エーテルリン酸：０．２質量％
エタノール：１０．０質量％
マカデミアナッツ油：０．１質量％
水酸化ナトリウム：０．０２質量％
パラオキシ安息香酸エステル：０．３質量％
香料：０．０５質量％
精製水：残量
実施例１〜５および比較例１〜７の配合成分および配合量を表１に示した。
【００６０】
【表１】
2015174891.tif 000002
【００６１】
＜評価＞
［靴下のずれ防止効果および使用感（ベタツキ感）の評価］
アンケートにおいて靴下のずれが気になると答えた１０名のパネラーに対し、表１記載の処方で調整した靴下のずれ防止剤を使用した後で、下記の評価項目について評価した。評価基準は下記による。
【００６２】
・靴下のずれ防止効果
Ａ：靴下のずれが改善されたと感じた被験者が８名以上
Ｂ：靴下のずれが改善されたと感じた被験者が５〜７名
Ｃ：靴下のずれが改善されたと感じた被験者が４名以下
【００６３】
・使用感：ベタツキ感の評価
Ａ：べたつかず使用感が良いと感じた被験者が８名以上
Ｂ：べたつかず使用感が良いと感じた被験者が５〜７名
Ｃ：べたつかず使用感が良いと感じた被験者が３〜４名
Ｄ：べたつかず使用感が良いと感じた被験者が２名以下
これらの結果を、表２に示した。
【００６４】
【表２】
2015174891.tif 000003
【００６５】
表２から明らかなように、本発明の靴下用ずれ防止剤は、ずれ防止効果が高いものであった。また、ベタつき感が抑制されているものだった。これに対して、比較例では、十分な結果が得られなかった。